(57)【要約】【課題】大面積化に適した有機電界発光素子、照明装置及び照明システムを提供する。【解決手段】実施形態によれば、光透過性の基板と、第１電極と、光透過性の第２電極と、有機層と、第１導電部と、を含む有機電界発光素子が提供される。前記第２電極は、前記基板と前記第１電極との間に設けられる。前記第２電極は、第１領域と第２領域とを含む。前記第１領域と前記第２領域とを結ぶ方向は、前記基板と前記第１電極とを結ぶ第１方向と交差する。前記有機層は、前記第２電極と前記第１電極との間に設けられる。前記第１導電部は、前記基板の一部と前記第１領域との間に設けられ、前記第２電極と電気的に接続される。前記第１導電部は、第３領域と第４領域とを含む。前記第４領域の一部は、前記第３領域の少なくとも一部と前記基板との間に配置される。【選択図】図１
2016162723.tif 000002
【特許請求の範囲】
【請求項１】
光透過性の基板と、
第１電極と、
前記基板と前記第１電極との間に設けられた光透過性の第２電極であって、第１領域と第２領域とを含み、前記第１領域と前記第２領域とを結ぶ方向は前記基板と前記第１電極とを結ぶ第１方向と交差する、前記第２電極と、
前記第２電極と前記第１電極との間に設けられた有機層と、
前記基板の一部と前記第１領域との間に設けられ前記第２電極と電気的に接続された第１導電部であって、前記第１導電部は、第３領域と第４領域とを含み、前記第４領域の一部は、前記第３領域の少なくとも一部と前記基板との間に配置された、前記第１導電部と、
を備えた有機電界発光素子。
【請求項２】
前記第１方向と交差する第２方向において前記第３領域と前記第２領域との間に設けられた第５領域を含む第１絶縁層をさらに備え、
前記第４領域の他部は、前記第１方向において前記第５領域と重ならず、
前記第４領域の前記他部は、前記第２電極と接する、請求項１記載の有機電界発光素子。
【請求項３】
前記第１絶縁層は、前記第１導電部と前記第１領域との間に設けられた第６領域をさらに含む、請求項２記載の有機電界発光素子。
【請求項４】
第２導電部と、
第２絶縁層と、
をさらに備え、
前記第２電極は、第７領域と、第８領域と、をさらに含み、
前記第１領域と前記第７領域とを結ぶ方向は、前記第２方向に沿い、
前記第２領域と前記第８領域とを結ぶ方向は、前記第２方向に沿い、
前記第２導電部は、前記基板の別の一部と前記第７領域との間に設けられ、前記第２電極と電気的に接続され、
前記第２導電部は、第９領域と第１０領域とを含み、前記第１０領域の一部は、前記第９領域の少なくとも一部と前記基板との間に配置され、
前記第２絶縁層は、前記第２方向において前記第９領域と前記第８領域との間に設けられた第１１領域を含む、請求項２または３に記載の有機電界発光素子。
【請求項５】
前記第２絶縁層は、前記第２導電部と前記第７領域との間に設けられた第１２領域をさらに含む、請求項４記載の有機電界発光素子。
【請求項６】
前記基板は、前記第１導電部と前記第２導電部との間において前記第２電極と接する請求項４または５に記載の有機電界発光素子。
【請求項７】
前記第３領域の前記第１方向に沿う厚さは、前記第４領域の前記第１方向に沿う厚さよりも厚い請求項１〜６のいずれか１つに記載の有機電界発光素子。
【請求項８】
前記第１導電部は、前記第１方向と交差する側面をさらに含む、請求項１〜７のいずれか１つに記載の有機電界発光素子。
【請求項９】
前記第１導電部は、Ｍｏ、Ｔａ、Ｎｂ、Ａｌ、Ｎｉ及びＴｉよりなる群から選択された少なくともいずれかの元素を含む、請求項８記載の有機電界発光素子。
【請求項１０】
前記第３領域は、前記第１方向に沿う第１側面をさらに含み、
前記第４領域は、前記第１方向に沿い、前記第２方向において前記第１側面と離間した第２側面をさらに含む、請求項１〜７のいずれか１つに記載の有機電界発光素子。
【請求項１１】
前記第４領域は、第１部分と、前記第２方向において前記第１部分と並ぶ第２部分と、をさらに含み、
前記第３領域の他部は、前記第２方向において前記第１部分と前記第２部分との間に設けられ、前記基板と接する請求項１０記載の有機電界発光素子。
【請求項１２】
前記第４領域の光透過率は、前記第３領域の光透過率よりも高い請求項１０または１１に記載の有機電界発光素子。
【請求項１３】
前記第３領域は、Ｍｏ、Ｔａ、Ｎｂ、Ａｌ、Ｎｉ及びＴｉよりなる群から選択された少なくともいずれかの元素を含み、
前記第４領域は、Ｉｎ、Ｓｎ、Ｚｎ及びＴｉよりなる群から選択された少なくともいずれかの元素を含む酸化物を含む請求項１０〜１２のいずれか１つに記載の有機電界発光素子。
【請求項１４】
前記第１電極の光反射率は、前記第２電極の光反射率よりも高い請求項１〜１３のいずれか１つに記載の有機電界発光素子。
【請求項１５】
前記第２電極の屈折率は、前記基板の屈折率よりも高く、前記有機層の屈折率よりも低い請求項１〜１４のいずれか１つに記載の有機電界発光素子。
【請求項１６】
前記第２電極の前記屈折率は、１．６以下である請求項１５記載の有機電界発光素子。
【請求項１７】
前記第２電極は、ポリエチレンジオキシチオフェンを含む請求項１〜１６のいずれか１つに記載の有機電界発光素子。
【請求項１８】
前記第１絶縁層は、酸化シリコン、窒化シリコン及び酸窒化シリコンのいずれかを含む請求項１〜１７のいずれか１つに記載の有機電界発光素子。
【請求項１９】
請求項１〜１８のいずれか１つに記載の有機電界発光素子と、
前記第１電極及び前記第２電極に電気的に接続され、前記有機電界発光素子に電流を供給する電源部と、
を備えた照明装置。
【請求項２０】
請求項１〜１８のいずれか１つに記載の複数の有機電界発光素子と、
前記複数の有機電界発光素子の１つと電気的に接続され、前記複数の有機電界発光素子の前記１つの発光の強度を制御する制御部と、
を備えた照明システム。
【発明の詳細な説明】
【技術分野】
【０００１】
本発明の実施形態は、有機電界発光素子、照明装置及び照明システムに関する。
【背景技術】
【０００２】
近年、平面光源などの用途に有機電界発光素子が注目されている。有機電界発光素子においては、薄型、軽量、面発光といった特徴から、これまでの照明器具や光源では実現できなかった応用が期待されている。有機電界発光素子において、第１電極（陽極）と第２電極（陰極）との間に有機発光層が設けられる。これらの電極間に電圧を印加することにより、有機発光層から光が放出される。有機電界発光素子を光源として用いた照明装置がある。複数の有機電界発光素子と、複数の有機電界発光素子を制御する制御部と、を含む照明システムがある。有機電界発光素子において、大面積化が望まれている。
【先行技術文献】
【特許文献】
【０００３】
【特許文献１】特開２０１４−１５００３０号公報
【発明の概要】
【発明が解決しようとする課題】
【０００４】
本発明の実施形態は、大面積化に適した有機電界発光素子、照明装置及び照明システムを提供する。
【課題を解決するための手段】
【０００５】
本発明の実施形態によれば、光透過性の基板と、第１電極と、光透過性の第２電極と、有機層と、第１導電部と、を含む有機電界発光素子が提供される。前記第２電極は、前記基板と前記第１電極との間に設けられる。前記第２電極は、第１領域と第２領域とを含む。前記第１電極領域と前記第２領域とを結ぶ方向は、前記基板と前記第１電極とを結ぶ第１方向と交差する。前記有機層は、前記第２電極と前記第１電極との間に設けられる。前記第１導電部は、前記基板の一部と前記第１領域との間に設けられ、前記第２電極と電気的に接続される。前記第１導電部は、第３領域と第４領域とを含む。前記第４領域の一部は、前記第３領域の少なくとも一部と前記基板との間に配置される。
【図面の簡単な説明】
【０００６】
【図１】第１の実施形態に係る有機電界発光素子を例示する模式的断面図である。
【図２】第１の実施形態に係る有機電界発光素子の一部を例示する模式的断面図である。
【図３】第２の実施形態に係る有機電界発光素子を例示する模式的断面図である。
【図４】図４（ａ）及び図４（ｂ）は、第２の実施形態に係る有機電界発光素子を例示する模式的透視平面図である。
【図５】第３の実施形態に係る有機電界発光素子の一部を例示する模式的断面図である。
【図６】第４の実施形態に係る照明装置を例示する模式的断面図である。
【図７】図７（ａ）及び図７（ｂ）は、第５の実施形態に係る照明システムを例示する模式図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
(第１の実施形態)
図１は、第１の実施形態に係る有機電界発光素子を例示する模式的断面図である。
実施形態に係る有機電界発光素子１１０は、第１電極１０と、第２電極２０と、有機層（有機発光層）３０と、基板４０と、第１導電部５１と、第２導電部５２と、第１絶縁層６０と、を含む。
【０００９】
基板４０は、例えば、光透過性を有する。基板４０は、例えば、透明基板である。基板４０には、例えば、無アルカリガラスまたは石英ガラス等の無機材料が用いられる。基板４０には、ポリエチレン、ポリエチレンテレフタレート（ＰＥＴ）、ポリエチレンナフタレート（ＰＥＮ）、ポリイミド、ポリアミド、ポリアミドイミド、液晶ポリマーまたはシクロオレフィンポリマー等のプラスチックを用いても良い。基板４０には、高分子フィルムなどを用いても良い。基板４０は、例えば、ガラス基板である。発光を取り出すため、透明な材料を用いることが好ましい。基板４０の形状、構造及び大きさ等は、用途及び目的等に応じて適宜選択される。
【００１０】
ここで、基板４０に対して垂直な方向をＺ軸方向とする。基板４０に対して平行な１つの方向をＸ軸方向とする。Ｘ軸方向及びＺ軸方向に対して垂直な１つの方向をＹ軸方向とする。Ｘ軸方向及びＹ軸方向は、基板４０に対して平行である。Ｘ軸方向及びＹ軸方向は、Ｚ軸方向に対して垂直な方向である。Ｚ軸方向は、基板４０の厚さ方向に相当する。
【００１１】
第１電極１０は、例えば、光反射性を有する。第１電極１０は、陰極として機能する。第１電極１０の光反射率は、第２電極２０の光反射率よりも高い。第１電極１０は、第１方向において第２電極２０と離間する。なお、実施形態において、第１方向は、基板４０から第１電極１０に向かう方向である。第１方向は、例えば、Ｚ軸方向である。第２方向は、例えば、Ｘ軸方向である。
【００１２】
第１電極１０は、例えば、アルミニウム及び銀の少なくともいずれかを含む。例えば、第１電極１０には、アルミニウム膜が用いられる。さらに、第１電極１０として、銀とマグネシウムとの合金を用いても良い。この合金にカルシウムを添加しても良い。第１電極１０は、これらの材料に限定されない。第１電極１０は、例えば、視認できない程度の細線状または格子状に設けられる。視認できない程度の細線状または格子状とは、例えば、１００マイクロメートル（μｍ）／１００μｍ程度、または、１００μｍ/５００μｍ程度の線幅及び間隔で設けられる。第１電極１０のパターン形状は、例えば、櫛刃状としてもよい。
【００１３】
第２電極２０は、例えば、光透過性を有する。第２電極２０は、陽極として機能する。第２電極２０は、例えば、透明電極である。第２電極２０は、基板４０と第１電極１０との間に設けられる。透明電極として低屈折率材料を用いることで、光取り出し効率を向上させることができる。第２電極２０には、例えば、塗布型材料の一つであるポリエチレンジオキシチオフェン（ＰＥＤＯＴ）が用いられる。ＰＥＤＯＴは、薄膜として使用した場合の光透過性に優れている。ＰＥＤＯＴコーティングの一般的な方法として、ＰＥＤＯＴとポリスチレンスルホン酸塩（ＰＳＳ）、すなわち、ＰＥＤＯＴ-ＰＳＳの混合物からなる水分散液が用いられる。
【００１４】
有機発光層３０は、例えば、光透過性を有する。有機発光層３０は、例えば、透明である。有機発光層３０は、Ｚ軸方向において基板４０と重なる。有機発光層３０は、第１電極１０と第２電極２０との間に設けられる。有機発光層３０は、第１電極１０及び第２電極２０のそれぞれと電気的に接続される。なお、本願明細書において、電気的に接続されている状態は、直接接触する状態のほか、間に他の導電部材などが介在する状態も含む。
【００１５】
第１電極１０の厚さ（Ｚ軸方向の長さ）は、例えば、１０ナノメートル（ｎｍ）以上３００ｎｍ以下である。第２電極２０の厚さは、例えば、１０ｎｍ以上５００ｎｍ以下である。より好ましくは、５０ｎｍ以上２００ｎｍ以下である。有機発光層３０の厚さは、例えば、５０ｎｍ以上５００ｎｍ以下である。
【００１６】
また、光取り出し効率の観点から、第２電極２０の屈折率は、基板４０の屈折率よりも大きく、有機発光層３０の屈折率よりも小さいことが好ましい。より好ましくは、第２電極２０の屈折率は、１．６以下である。例えば、基板４０の屈折率は、１．５である。第２電極２０の屈折率は、１．６である。有機発光層３０の屈折率は、１．８である。
【００１７】
第２電極２０と第１電極１０とを用いて有機発光層３０に電流を流す。これにより、有機発光層３０が発光する。有機発光層３０は、例えば、電流が流れた場合に、電子と正孔とを再結合させ、励起子を生成する。有機発光層３０は、例えば、励起子が放射失活する際の光の放出を利用して発光する。
【００１８】
図２は、第１の実施形態に係る有機電界発光素子の一部を例示する模式的断面図である。  
図２に表したように、有機発光層３０は、第１層３１を含む。有機発光層３０は、必要に応じて、第２層３２及び第３層３３の少なくともいずれかをさらに含むことができる。第１層３１は、可視光の波長を含む光を放出する。第２層３２は、第１層３１と第２電極２０との間に設けられる。第３層３３は、第１層３１と第１電極１０との間に設けられる。
【００１９】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−N−3メチルフェニル−N−フェニルアミノビフェニル）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。
【００２０】
第２層３２は、例えば、正孔注入層として機能する。正孔注入層は、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む。第２層３２は、例えば正孔輸送層として機能する。正孔輸送層は、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4"−トリ（N− カルバゾリル）トリフェニルアミン）などの少なくともいずれかを含む。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。
【００２１】
第３層３３は、例えば電子注入層として機能する層を含むことができる。電子注入層は、例えば、フッ化リチウム、フッ化セシウム、及び、リチウムキノリン錯体などの少なくともいずれかを含む。第３層３３は、例えば、電子輸送層として機能する層を含むことができる。電子輸送層は、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。
【００２２】
例えば、有機発光層３０から放出される光は、実質的に白色光である。すなわち、有機電界発光素子１１０から出射する光は白色光である。ここで、「白色光」は、実質的に白色であり、例えば、赤色系、黄色系、緑色系、青色系及び紫色系などの白色の光も含む。
【００２３】
図１に表したように、第１導電部５１は、基板４０と第２電極２０との間に設けられる。第１導電部５１は、Ｚ軸方向と交差する側面５１ａを含む。この例において、側面５１ａは、Ｚ軸方向に対して傾斜する。側面５１ａは、テーパ状に設けられている。
【００２４】
第１導電部５１は、補助配線層として機能する。第１導電部５１は、例えば、Ｍｏ、Ｔａ、Ｎｂ、Ａｌ、Ｎｉ及びＴｉよりなる群から選択された、少なくともいずれかの元素を含む。第１導電部５１として、例えば、この群から選択された元素を含む混合膜を用いても良い。第１導電部５１として、それらの元素を含む積層膜を用いても良い。第１導電部５１には、例えば、Ｎｂ／Ｍｏ／Ａｌ／Ｍｏ／Ｎｂの積層膜を用いても良い。
【００２５】
なお、第１導電部５１を、例えば、１００ｎｍ程度の薄い金属配線とすることも可能である。しかしながら、十分な導電性を確保するためには、ある程度の面積が必要となる。この場合、発光面積が犠牲となる。このため、第１導電部５１をある程度厚くすることで、導電性を確保することが好ましい。第１導電部５１の厚さは、例えば、１０ｎｍ以上、８００ｎｍ以下であることが好ましい。第２導電部５２についても、第１導電部５１と同様である。
【００２６】
第１絶縁層６０には、絶縁性の材料を用いることができる。第１絶縁層６０には、例えば、ポリイミド樹脂、アクリル樹脂などの樹脂材料や、シリコン酸化膜（例えばＳｉＯ２）、シリコン窒化膜（例えばＳｉＮ）、または、シリコン酸窒化膜などの無機材料などが用いられる。なお、第１絶縁層６０は、これらの材料に限定されない。第１絶縁層６０の厚さは、例えば、１００ｎｍ以上、１μｍ以下であることが好ましい。
【００２７】
実施形態において、第２電極２０は、基板４０と第１電極１０との間に設けられる。第２電極２０は、第１電極領域（第１領域）２１と第２電極領域（第２領域）２２とを含む。第１電極領域２１と第２電極領域２２とを結ぶ方向は、Ｚ軸方向と交差する。
【００２８】
第１導電部５１は、基板４０の一部と第１電極領域２１との間に設けられ、第２電極２０と電気的に接続される。第１導電部５１は、第１導電領域（第３領域）ｐ１と第２導電領域（第４領域）ｐ２とを含む。第２導電領域ｐ２の一部ｐ２ａは、第１導電領域ｐ１の少なくとも一部と基板４０との間に配置される。
【００２９】
第１絶縁層６０は、第１絶縁領域（第５領域）６１を含む。第１絶縁領域６１は、Ｘ軸方向において第１導電領域ｐ１と第２電極領域２２との間に設けられる。
【００３０】
具体的には、第２導電領域ｐ２の他部ｐ２ｂは、Ｚ軸方向において第１絶縁領域６１と重ならない。例えば、第２導電領域ｐ２の他部ｐ２ｂは、第２電極２０と接する。すなわち、補助配線である第１導電部５１の一部を第１絶縁層６０から露出させ、ＰＥＤＯＴなどの第２電極２０と電気的に接続させる。
【００３１】
また、第１絶縁層６０は、第２絶縁領域（第６領域）６２をさらに含むようにしてもよい。第２絶縁領域６２は、第１導電部５１と、第２電極２０の第１電極領域２１との間に設けられている。
【００３２】
ここで、有機電界発光素子の活用方法の一つとして、例えば、透過型電界発光パネルが考えられる。透過型電界発光パネルの場合、発光面積が小さくなるため、従来型パネルと比べると、輝度や耐久性などの特性に対する要求が高くなる。特性向上のためには、材料開発、ダイオード構成の最適化などの他に、光取り出し構造の最適化が重要である。
【００３３】
そこで、光取り出し効率を向上させるために、低屈折率の陽極材料を採用することが考えられる。陽極材料に使える低屈折率材料としては、例えば、前述のＰＥＤＯＴのような塗布型材料が好適である。ＰＥＤＯＴの導電率は、従来の透明陽極であるインジウム錫酸化物（ＩＴＯ：Indium Tin Oxide）膜の導電率よりも低い。このため、有機電界発光素子の大面積化が困難である。低導電率を補い大面積化を実現するためには、補助配線及び絶縁層を敷設するなどの方法が考えられる。なお、絶縁層は、補助配線と陰極との間における短絡（ショート）を防止するために設けられる。
【００３４】
しかしながら、ＰＥＤＯＴのような塗布型材料を陽極として用いる場合、基板上にＰＥＤＯＴを塗布形成した後に、補助配線及び絶縁層を、フォトリソグラフィーなどのウェットプロセスでパターニング加工することは困難である。また、基板上に補助配線及び絶縁層を形成した後に、ＰＥＤＯＴを塗布形成すると、補助配線の導通（コンタクト）を取ることができない。
【００３５】
これに対して、実施形態においては、補助配線として第１導電部５１を形成するときに、第１導電部５１の一部を第１絶縁層６０から露出させ、ＰＥＤＯＴなどの第２電極２０と電気的に接続させる。これにより、陽極としてＰＥＤＯＴを用いた場合においても、補助配線の導通を取ることができる。すなわち、ＰＥＤＯＴにより光取り出し効率の向上を図りつつ、補助配線により大面積化を実現することができる。
【００３６】
この例において、第２導電部５２は、Ｘ軸方向において第１導電部５１と並ぶ。そして、有機電界発光素子１１０において、発光出射領域ＥＡが設けられる。第２電極２０は、第３電極領域（第７領域）２３と、第４電極領域（第８領域）２４と、を含む。第１電極領域２１と第３電極領域２３とを結ぶ方向は、Ｘ軸方向に沿う。第２電極領域２２と第４電極領域２４とを結ぶ方向は、Ｘ軸方向に沿う。
【００３７】
第２導電部５２は、基板４０の別の一部と第３電極領域２３との間に設けられ、第２電極２０と電気的に接続される。第２導電部５２は、第３導電領域（第９領域）ｐ３と第４導電領域（第１０領域）ｐ４とを含む。第４導電領域ｐ４の一部ｐ４ａは、第３導電領域ｐ３の少なくとも一部と基板４０との間に配置される。
【００３８】
有機電界発光素子１１０は、第２絶縁層６０ａをさらに含む。第２絶縁層６０ａは、第３絶縁領域（第１１領域）６３を含む。第３絶縁領域６３は、Ｘ軸方向において第３導電領域ｐ３と第４電極領域２４との間に設けられる。
【００３９】
第４導電領域ｐ４の他部ｐ４ｂは、Ｚ軸方向において第３絶縁領域６３と重ならない。例えば、第４導電領域ｐ４の他部ｐ４ｂは、第２電極２０と接する。すなわち、補助配線である第２導電部５２の一部を第１絶縁層６０から露出させ、ＰＥＤＯＴなどの第２電極２０と電気的に接続させる。なお、第２絶縁層６０ａは、第４絶縁領域（第１２領域）６４をさらに含むようにしてもよい。第４絶縁領域６４は、第２導電部５２と、第３電極領域２３との間に設けられている。
【００４０】
発光出射領域ＥＡは、第１導電部５１と第２導電部５２との間に配置される。発光出射領域ＥＡにおいては、第１電極１０と、第２電極２０と、有機層３０と、基板４０と、が積層されている。発光出射領域ＥＡにおいては、第２電極２０は基板４０と接する。発光出射領域ＥＡにおいて、有機層３０からの発光光が外部に出射される。
【００４１】
このように、実施形態によれば、大面積化に適した有機電界発光素子を提供することができる。
【００４２】
（第２の実施形態）
図３は、第２の実施形態に係る有機電界発光素子を例示する模式的断面図である。
図４（ａ）及び図４（ｂ）は、第２の実施形態に係る有機電界発光素子を例示する模式的透視平面図である。
図４（ｂ）は、図４（ａ）のＸ１部を拡大した模式的拡大図である。
なお、図を見やすくするために、図４（ａ）及び図４（ｂ）においては、図３の第２電極２０及び有機発光層３０の図示を省略する。
【００４３】
実施形態の有機電界発光素子１１１は、第１導電部５１が材料の異なる２つの導電部を含む構成とされる。すなわち、第１導電部５１は、第１導電領域ｐ１及び第２導電領域ｐ２を含む。第２導電領域ｐ２の光透過率は、第１導電領域ｐ１の光透過率よりも高い。例えば、第１導電領域ｐ１は、金属配線層である。第２導電領域ｐ２は、ＩＴＯなどの透明導電部である。第１導電領域ｐ１は、Ｚ軸方向に沿う第１側面ｐ１１を含む。第２導電領域ｐ２は、Ｚ軸方向に沿う第２側面ｐ２１を含む。第２側面ｐ２１は、Ｘ軸方向において第１側面ｐ１１と離間する。第１導電領域ｐ１は、Ｚ軸方向において第２導電領域ｐ２の一部と重なる。第１絶縁層６０は、第１導電領域ｐ１の周囲を覆っている。
【００４４】
第１導電領域ｐ１は、例えば、Ｍｏ、Ｔａ、Ｎｂ、Ａｌ、Ｎｉ及びＴｉよりなる群から選択された少なくともいずれかの元素を含む。第１導電領域ｐ１として、例えば、この群から選択された元素を含む混合膜を用いても良い。第１導電領域ｐ１として、それらの元素を含む積層膜を用いても良い。第１導電領域ｐ１には、例えば、Ｎｂ／Ｍｏ／Ａｌ／Ｍｏ／Ｎｂの積層膜を用いても良い。第１導電領域ｐ１は、例えば、第２電極２０の電位降下を抑制する補助電極として機能する。
【００４５】
第２導電領域ｐ２は、例えば、Ｉｎ、Ｓｎ、Ｚｎ及びＴｉよりなる群から選択された少なくともいずれかの元素を含む酸化物を含む。第２導電領域ｐ２には、例えば、酸化インジウム、酸化亜鉛、酸化錫、インジウム錫酸化物（ＩＴＯ）膜、フッ素ドープ酸化錫（ＦＴＯ）、金、白金、銀、及び、銅などを用いることができる。第２導電領域ｐ２には、透明または半透明の導電性を有する材料が用いられる。
【００４６】
第２導電領域ｐ２は、基板４０の上に設けられる。第１導電領域ｐ１は、第２導電領域ｐ２の上に設けられる。第１絶縁層６０は、第１導電領域ｐ１の上に設けられる。これらの第１導電領域ｐ１、第２導電領域ｐ２及び第１絶縁層６０は、例えば、フォトリソグラフィーなどの方法を用いて、パターニング加工される。第１導電領域ｐ１の上面及び側面は、第１絶縁層６０で被覆される。第２導電領域ｐ２の一部は、第１絶縁層６０よりも外側に配置される。第２導電領域ｐ２は、例えば、１０μｍ以上、５０μｍ以下の範囲で第１絶縁層６０から露出するように加工されている。
【００４７】
また、第２電極２０は、第１絶縁層６０の上に設けられる。第２電極２０は、第１絶縁層６０から露出した第２導電領域ｐ２の一部の上に設けられる。第２電極２０の形成には、塗布法などのウェットプロセスが好ましい。有機発光層３０は、第２電極２０の上に設けられる。第１電極１０は、有機発光層３０の上に設けられる。第１電極１０の形成には、例えば、真空蒸着法が用いられる。第２電極２０を陽極として電圧を印加したときに、第１絶縁層６０の形成されていない領域が発光出射領域ＥＡとなる。
【００４８】
上記において、第２導電領域ｐ２の一部が第１絶縁層６０から露出している。つまり、第２導電領域ｐ２の一部が発光出射領域ＥＡに位置することになる。このため、第２導電領域ｐ２として、ＩＴＯなどの透明導電材料を用いることが好ましい。これにより、発光出射領域ＥＡの面積が犠牲にならない。これにより、光取り出し効率をより高めることができる。
【００４９】
また、第１導電領域ｐ１のＺ軸方向に沿う第２厚さＤ２は、第２導電領域ｐ２のＺ軸方向に沿う第１厚さＤ１よりも厚いことが望ましい。第２厚さＤ２は、例えば、１０ｎｍ以上、２００ｎｍ以下である。第１厚さＤ１は、例えば、１００ｎｍ以上、８００ｎｍ以下である。すなわち、第１導電領域ｐ１の厚さを厚くすることで、第１導電部５１の面積を広げることなく、十分な導電性を得ることができる。
【００５０】
このように、実施形態によれば、有機電界発光素子の大面積化に加え、光取り出し効率をより高めることができる。
【００５１】
（第３の実施形態）
図５は、第３の実施形態に係る有機電界発光素子の一部を例示する模式的断面図である。
【００５２】
実施形態の有機電界発光素子１１２は、第１導電部５１が材料の異なる２つの導電部を含む構成とされる。すなわち、第１導電部５１は、第１導電領域ｐ１及び第２導電領域ｐ２を含む。第２導電領域ｐ２の光透過率は、第１導電領域ｐ１の光透過率よりも高い。例えば、第１導電領域ｐ１は、金属配線層である。第２導電領域ｐ２は、ＩＴＯなどの透明導電部である。第１導電領域ｐ１の一部ｐ１２は、Ｚ軸方向において第２導電領域ｐ２の一部と重なる。第１絶縁層６０は、第１導電領域ｐ１の周囲を覆っている。実施形態では、第１導電領域ｐ１は、第２導電領域ｐ２と第１絶縁層６０との間、及び、基板４０と第１絶縁層６０との間に設けられる。
【００５３】
第１導電領域ｐ１は、Ｚ軸方向に沿う第１側面ｐ１１を含む。第２導電領域ｐ２は、Ｚ軸方向に沿う第２側面ｐ２１を含む。第２側面ｐ２１は、Ｘ軸方向において第１側面ｐ１１と離間する。第２導電領域ｐ２は、第１部分ｐ２２と、第２部分ｐ２３と、をさらに含む。第２部分ｐ２３は、Ｘ軸方向において第１部分ｐ２２と並ぶ。第１導電領域ｐ１の他部ｐ１３は、Ｘ軸方向において第１部分ｐ２２と第２部分Ｐ２３との間に設けられ、基板４０と接する。
【００５４】
第２導電領域ｐ２は、基板４０の上に設けられる。第１導電領域ｐ１は、基板４０の上、及び、第２導電領域ｐ２の上に設けられる。第１絶縁層６０は、第１導電領域ｐ１の上に設けられる。これらの第１導電領域ｐ１、第２導電領域ｐ２及び第１絶縁層６０は、例えば、フォトリソグラフィーなどの方法を用いて、パターニング加工される。第１導電領域ｐ１の表面及び側面は、第１絶縁層６０で被覆される。第２導電領域ｐ２の一部は、第１絶縁層６０よりも外側に配置される。第２導電領域ｐ２は、例えば、１０μｍ以上、５０μｍ以下の範囲で第１絶縁層６０から露出するように加工されている。
【００５５】
また、第２電極２０は、第１絶縁層６０の上に設けられる。第２電極２０は、第１絶縁層６０から露出した第２導電領域ｐ２の一部の上に設けられる。第２電極２０の形成には、塗布法などのウェットプロセスが好ましい。有機発光層３０は、第２電極２０の上に設けられる。第１電極１０は、有機発光層３０の上に設けられる。第１電極１０の形成には、例えば、真空蒸着法が用いられる。第２電極２０を陽極として電圧を印加したときに、第１絶縁層６０の形成されていない領域が発光出射領域となる。
【００５６】
上記において、第２導電領域ｐ２の一部が第１絶縁層６０から露出している。つまり、第２導電領域ｐ２の一部が発光出射領域に位置することになる。このため、第２導電領域ｐ２として、ＩＴＯなどの透明導電材料を用いることが好ましい。これにより、発光出射領域の面積が犠牲にならない。これにより、光取り出し効率をより高めることができる。
【００５７】
このように、実施形態によれば、有機電界発光素子の大面積化に加え、光取り出し効率をより高めることができる。
【００５８】
（第４の実施形態）
図６は、第４の実施形態に係る照明装置を例示する模式的断面図である。  
実施形態に係る照明装置２１０は、例えば、有機電界発光素子１３０と、電源部２０１と、を含む。有機電界発光素子１３０は、第１基板１３１と、第２基板１３２と、シール部１３３と、をさらに含む。
【００５９】
図６に表すように、第２電極２０は、第１基板１３１の上に設けられる。第１基板１３１は、光透過性を有する。第２基板１３２は、第１基板１３１と対向する。第２基板１３２は、光透過性を有する。この例において、積層体の構成は、有機電界発光素子１１１（図３）に関して説明した構成と同じである。積層体の構成は、他の有機電界発光素子に関して説明した構成でもよい。
【００６０】
シール部１３３は、例えば、第１基板１３１及び第２基板１３２の外縁に沿って環状に設けられ、第１基板１３１と第２基板１３２とを接着する。これにより、第１基板１３１と第２基板１３２とによって、積層体が封止される。有機電界発光素子１３０では、第１基板１３１と第２基板１３２との間のＺ軸方向の距離をシール部１３３によって規定している。この構成は、例えば、シール部１３３に粒状のスペーサ（図示せず）を含めることによって実現できる。例えば、シール部１３３に粒状の複数のスペーサを分散させ、複数のスペーサの径によって、第１基板１３１と第２基板１３２との間の距離が規定される。
【００６１】
有機電界発光素子１３０において、シール部１３３の厚さ（Ｚ軸方向に沿う長さ）は、例えば、１μｍ以上１００μｍ以下である。より好ましくは、例えば、５μｍ以上２０μｍ以下である。これにより、例えば、水分の浸入などを抑えることができる。シール部１３３の厚さは、例えば、シール部１３３に分散させるスペーサの径と実質的に同じである。
【００６２】
有機電界発光素子において、第２基板１３２に積層体を収容する凹部を設ける構成がある。この構成では、第２基板１３２の形成が難しくなる。例えば、有機電界発光素子のコストアップを招く。
【００６３】
これに対して、本実施形態に係る有機電界発光素子１３０では、第１基板１３１と第２基板１３２との間の距離をシール部１３３で規定している。これにより、例えば、平板状の第２基板１３２を用いることができる。例えば、第２基板１３２の形成を容易にできる。有機電界発光素子１３０のコストアップを抑えることができる。
【００６４】
積層体と第２基板１３２との間の空間には、例えば、不活性ガスなどが充填される。積層体と第２基板１３２との間に、乾燥剤などを設けてもよい。積層体と第２基板１３２との間の空間は、例えば、空気層でもよい。積層体と第２基板１３２との間の空間には、例えば、液状のアクリル系樹脂やエポキシ系樹脂などを充填してもよい。アクリル系樹脂やエポキシ系樹脂には乾燥材として酸化カルシウムや酸化バリウムを添加させてもよい。
【００６５】
第１基板１３１及び第２基板１３２には、例えば、ガラス基板、または、樹脂基板などが用いられる。シール部１３３には、例えば、紫外線硬化樹脂などが用いられる。
【００６６】
電源部２０１は、第２電極２０と第１電極１０とに電気的に接続される。電源部２０１は、第２電極２０及び第１電極１０を介して有機発光層３０に電流を供給する。
【００６７】
実施形態によれば、大面積化に適した照明装置を提供することができる。
【００６８】
（第５の実施形態）
図７（ａ）及び図７（ｂ）は、第５の実施形態に係る照明システムを例示する模式図である。  
図７（ａ）に表すように、実施形態に係る照明システム３１１は、例えば、有機電界発光素子１３０と、制御部３０１と、を含む。
【００６９】
制御部３０１は、複数の有機電界発光素子１３０のそれぞれと電気的に接続され、複数の有機電界発光素子１３０のそれぞれの発光の強度を制御する。制御部３０１は、例えば、複数の有機電界発光素子１３０のそれぞれの第１電極及び第２電極と電気的に接続される。これにより、制御部３０１は、複数の有機電界発光素子１３０のそれぞれの発光の強度を個別に制御する。
【００７０】
図７（ｂ）に表すように、照明システム３１２では、複数の有機電界発光素子１３０のそれぞれが、直列に接続されている。制御部３０１は、複数の有機電界発光素子１３０のうちの１つの有機電界発光素子１３０の第１電極と電気的に接続される。そして、制御部３０１は、複数の有機電界発光素子１３０のうちの別の１つの有機電界発光素子１３０の第２電極と電気的に接続される。これにより、制御部３０１は、複数の有機電界発光素子１３０のそれぞれの発光の強度をまとめて制御する。このように、制御部３０１は、複数の有機電界発光素子１３０のそれぞれの発光の強度を個別に制御してもよいし、まとめて制御してもよい。
【００７１】
実施形態によれば、大面積化に適した照明システムを提供することができる。
【００７２】
実施形態によれば、大面積化に適した有機電界発光素子、照明装置及び照明システムが提供できる。
【００７３】
以上、具体例を参照しつつ、本発明の実施の形態について説明した。しかし、本発明は、これらの具体例に限定されるものではない。例えば、基板、第１電極、第２電極、有機発光層及び第１導電部などの各要素の具体的な構成に関しては、当業者が公知の範囲から適宜選択することにより本発明を同様に実施し、同様の効果を得ることができる限り、本発明の範囲に包含される。
【００７４】
また、各具体例のいずれか２つ以上の要素を技術的に可能な範囲で組み合わせたものも、本発明の要旨を包含する限り本発明の範囲に含まれる。
【００７５】
その他、本発明の実施の形態として上述した有機電界発光素子、照明装置及び照明システムを基にして、当業者が適宜設計変更して実施し得る全ての有機電界発光素子、照明装置及び照明システムも、本発明の要旨を包含する限り、本発明の範囲に属する。
【００７６】
その他、本発明の思想の範疇において、当業者であれば、各種の変更例及び修正例に想到し得るものであり、それら変更例及び修正例についても本発明の範囲に属するものと了解される。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
１０…第１電極、  ２０…第２電極、  ２１〜２４…第１〜第４電極領域、  ３０…有機層、有機発光層、  ３１〜３３…第１〜第３層、  ４０…基板、  ５１、５２…第１、第２導電部、  ５１ａ…側面、  ６０…第１絶縁層、  ６０ａ…第２絶縁層、  ６１〜６４…第１〜第４絶縁領域、  １１０〜１１２、１３０…有機電界発光素子、  １３１、１３２…第１、第２基板、  １３３…シール部、  ２０１…電源部、  ２１０…照明装置、  ３０１…制御部、  ３１１、３１２…照明システム、  ｐ１〜ｐ４…第１〜第４導電領域、  ｐ２ａ、ｐ４ａ…一部、  ｐ２ｂ、ｐ４ｂ…他部、  ｐ１１…第１側面、  ｐ１２…一部、  ｐ１３…他部、  ｐ２１…第２側面、  ｐ２２…第１部分、  ｐ２３…第２部分
【図１】
2016162723.tif 000003
【図２】
2016162723.tif 000004
【図３】
2016162723.tif 000005
【図４】
2016162723.tif 000006
【図５】
2016162723.tif 000007
【図６】
2016162723.tif 000008
【図７】
2016162723.tif 000009